【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
ロール状に巻回されたテープ（２）を切断するための切断刃（１）であって、
テープ（２）が繰り出される方向に沿って板面が延びる平面部材（３）の一端縁に、該テープ（２）の下面を係止させて切り込みを入れる上端角部（１１）と、該上端角部（１１）による切り込み線を切断しようとする方向へと導くエッジ部（１３）と、該エッジ部（１３）の終端から連続する陥没部（１７）と、を一単位とする単位刃（１０）を複数設け、夫々の単位刃（１０ａ、１０ｂ、１０ｃ）の前記エッジ部（１３ａ、１３ｂ、１３ｃ）が一直線上に位置するように構成したことを特徴とするテープ用切断刃。
【請求項２】
前記エッジ部（１３）は、テープ（２）が繰り出される方向に沿って板面が延びる板状部材（３）を、下面側から上面側に向けて切断することによって構成されることを特徴とする請求項１に記載のテープ用切断刃。
【請求項３】
前記板状部材（３）の上面に、テープ（２）が切断される方向に複数の凹部（８）を並べて形成し、該複数の凹部（８）に沿って下面側から上面側に向けて前記板状部材（３）を切断し、切断された端縁部において、前記単位刃（１０）が複数並べられた構成としたことを特徴とする請求項２に記載のテープ用切断刃。
【請求項４】
内側面に接着剤が塗布された接着テープ（２）を繰り出して切断するためのテープディスペンサーに取り付けられるテープ用切断刃（１）であって、前記板状部材（３）の他端部に、該板状部材（３）の板面から上方に突出する突出部（１６）を設け、繰り出された前記接着テープ（２）が該突出部（１６）において仮留めされた後、前記一端縁に設けられた刃先に至るように構成したことを特徴とする請求項２又は請求項３に記載のテープ用切断刃。
【請求項５】
前記突出部（１６）は、前記板状部材（３）の切断されていない側の端部を上方に突出するように折り曲げて構成されたことを特徴とする請求項４に記載のテープ用切断刃。  
【請求項６】
前記突出部（１６）に仮留めされた前記接着テープ（２）が、前記平面部材の板面に対して２．５度〜１０度の角度（θ）をもって前記刃先に至るように構成したことを特徴とする請求項４又は請求項５に記載のテープ用切断刃。
【請求項７】
前記陥没部（１７）の深さは、０．０３ｍｍ〜０．５ｍｍであることを特徴とする請求項１〜請求項６の何れか１つの請求項に記載のテープ用切断刃。
【請求項８】
前記エッジ部（１３）に、上方に突出しているバリが形成されていることを特徴とする請求項１〜請求項７の何れか1つの請求項に記載のテープ用切断刃。
【手続補正２】
【補正対象書類名】明細書
【補正対象項目名】発明の名称
【補正方法】変更
【補正の内容】
【発明の名称】テープ用切断刃
【手続補正３】
【補正対象書類名】明細書
【補正対象項目名】０００１
【補正方法】変更
【補正の内容】
【０００１】
本発明は、ロール状のテープを所望の長さに切断するためのテープ用切断刃に関し、特に、直線状に切断することができると共に安全性の高いテープ用切断刃に関する。
【手続補正４】
【補正対象書類名】明細書
【補正対象項目名】０００６
【補正方法】変更
【補正の内容】
【０００６】
特に、食品用ラップフィルムやアルミ箔のように、接着性のない広幅のテープの場合、長手方向に対して直角（即ち、幅方向）に切断されないことがあり、このため、切断されたテープ片が不適切な形状であったり、テープ２の切れ端が斜めになり、次回の切断に支障を来たす場合があった。
そこで、本発明は、テープを幅方向に向けて直線状に切断することができ、尚且つ安全性の高いテープ用切断刃の提供を目的とする。
【手続補正５】
【補正対象書類名】明細書
【補正対象項目名】０００７
【補正方法】変更
【補正の内容】
【０００７】
本発明に係るテープ用切断刃は、ロール状に巻回されたテープを切断するための切断刃であって、テープが繰り出される方向に沿って板面が延びる平面部材の一端縁に、該テープの下面を係止させて切り込みを入れる上端角部と、該上端角部による切り込み線を切断しようとする方向へと導くエッジ部と、該エッジ部の終端から連続する陥没部と、を一単位とする単位刃を複数設け、夫々の単位刃の前記エッジ部が一直線上に位置するように構成したことを特徴とするものである
この場合、前記エッジ部は、テープが繰り出される方向に沿って板面が延びる板状部材を、下面側から上面側に向けて切断することによって構成されるものであってもよい。
【手続補正６】
【補正対象書類名】明細書
【補正対象項目名】０００８
【補正方法】変更
【補正の内容】
【０００８】
この場合、前記板状部材の上面に、テープが切断される方向に複数の凹部を並べて形成し、該複数の凹部に沿って下面側から上面側に向けて前記板状部材を切断し、切断された端縁部において、前記単位刃が複数並べられた構成としてもよい。
また、内側面に接着剤が塗布された接着テープを繰り出して切断するためのテープディスペンサーに取り付けられるテープ用切断刃であって、前記平面部材の他端部に、該平面部材の板面から上方に突出する突出部を設け、繰り出された前記接着テープが該突出部において仮留めされた後、前記一端縁に設けられた刃先に至るように構成してもよい。
この場合、前記突出部は、前記板状部材の切断されていない側の端部を上方に突出するように折り曲げて構成されたものであってもよい。  
【手続補正７】
【補正対象書類名】明細書
【補正対象項目名】０００９
【補正方法】変更
【補正の内容】
【０００９】
この場合、前記突出部に仮留めされた前記接着テープが、前記平面部材の板面に対して２．５度〜１０度の角度をもって前記刃先に至るようにしてもよい。
また、前記陥没部の深さは、０．０３ｍｍ〜０．５ｍｍであってもよい。
また、前記エッジ部に、上方に突出しているバリが形成されていることを特徴とするものであってもよい。
【手続補正８】
【補正対象書類名】明細書
【補正対象項目名】００１０
【補正方法】削除
【補正の内容】
【手続補正９】
【補正対象書類名】明細書
【補正対象項目名】００１３
【補正方法】変更
【補正の内容】
【００１３】
請求項２に係るテープ用切断刃によれば、前記エッジ部は、テープが繰り出される方向に沿って板面が延びる板状部材を、下面側から上面側に向けて切断することによって構成されるので、上方に向けて僅かなバリを生じさせることができる。
請求項３に係るテープ用切断刃によれば、板状部材の上面に複数の凹部を並べて形成し、それら凹部に沿って下面側から上面側に向けて板状部材を切断するので、その切断面によって、単位刃が複数並べられた状態の端縁部を構成することができる。
また、板状部材の上面に形成された凹部に沿って、金属板の下面側から上面側に向けて切断するので、上方に向けて僅かなバリを生じさせることができる。
これによって、単位刃のエッジ部を鋭利にすることができるので、刃の切れ味を向上させることができる。
【手続補正１０】
【補正対象書類名】明細書
【補正対象項目名】００１４
【補正方法】変更
【補正の内容】
【００１４】
請求項４に係るテープ用切断刃は、接着テープ用のテープディスペンサーに取り付けて使用されるので、テープの接着剤によって刃先にテープが固定された状態で、テープの切断を行なうことが可能となる。
さらに、平面部材の他端部が上方に突出しているので、この突出部でテープを仮留めしたのちに、刃先へと至らせることができる。突出部の次に接するのが刃先のエッジ部なので、陥没部の凸凹形状に従ってテープが切断されるのを防止することができ、切断の直線性が担保される。
また、エッジ部以外にテープは接着していないので、次の切断のために平面部材から引き剥がす際に、弱い力で引き剥がすことができる。
請求項５に係る発明は、板状部材の切断されていない側の端部を上方に突出するように折り曲げて突出部を構成するので、容易に製造できる。  
【手続補正１１】
【補正対象書類名】明細書
【補正対象項目名】００１５
【補正方法】変更
【補正の内容】
【００１５】
請求項６に係る発明は、突出部に仮留めされたテープが、平面部材に対して２．５度〜１０度の角度をもって刃先に係止されるので、テープをエッジ部に係止させながら捻って切断する際に、テープが刃の上で滑るのを防止できる。
このため、粘着テープ等の接着性の低いテープであっても、捻り切りの際に、刃上滑りが生じ難くなり、テープが過度に引き出されたり、斜め方向に切断されるのを防止できる。
請求項７に係る発明は、陥没部の深さが、０．０３ｍｍ〜０．５ｍｍになるようにしたので、テープの切れ性、及び切断の直線性が良好になる。
請求項８に係る発明は、エッジ部に、上方に突出しているバリが形成されているので、刃の切れ味をよくすることができる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００２２
【補正方法】変更
【補正の内容】
【００２２】
本実施形態に係るテープ用切断刃１は、テープ２が繰り出される方向に沿って板面が延びる鋼板３の一端部に刃先を設け、他端部に、テープを仮留めするための仮留め部１６を設けたものである。なお、図示の仮留め部１６は、誇張して表現されたものである。
一端部に設けられる刃先は、複数の単位刃１０ａ、１０ｂ、１０ｃ・・・を等間隔に並べて構成されており、単位刃１０は、上端の角部１１と、この上端の角部１１から連続するエッジ部１３と、そのエッジ部１３の終端の角部１５から連続する陥没部１７とによって構成されている。
【手続補正１５】
【補正対象書類名】明細書
【補正対象項目名】００２６
【補正方法】変更
【補正の内容】
【００２６】
凹部８に沿って切断した際に、切断面の上縁に陥没部１７が等間隔に形成される。この陥没部１７と、陥没部１７から連続する角部１１と、角部１１から連続するエッジ部１３と、そのエッジ部の終端の角部１５と、によって１つの単位刃１０が形成される（図４参照）。
なお、１つの単位刃１０の長さは、０．２ｍｍ〜１．０ｍｍ程度である。
このような単位刃１０が切断面の上縁に沿って複数形成されることとなるので、夫々のエッジ部１３が一直線上に位置するように構成できる。
また、この切断工程では、下面から上面方向Ａに鋼板３を切断するので、エッジ部１３などに、僅かな上向きのバリ１４を生じさせることができ、単位刃１０を一層鋭利なものにすることができる。
【手続補正１６】
【補正対象書類名】明細書
【補正対象項目名】００２７
【補正方法】変更
【補正の内容】
【００２７】
なお、陥没部１７の深さは、０．０３〜０．５ｍｍ程度（望ましくは０．０５〜０．１５ｍｍ程度）が好ましい。
仮留め部１６の高さＨは、０．５〜３．０ｍｍ程度（望ましくは０．８〜１．５ｍｍ）程度が好ましい。
仮留め部１６を形成するための折り曲げ工程においては、仮留め部１６から刃先に向かう角度θが、２．５度〜１０度（望ましくは２．５度〜７．５度）の範囲になるように、仮留め部１６と刃先の間の長さＮを調節するのが好ましい（図１参照）。
【手続補正１７】
【補正対象書類名】明細書
【補正対象項目名】００３５
【補正方法】変更
【補正の内容】
【００３５】
本実験では、単位刃の長さが１．０ｍｍ（エッジ部が０．５ｍｍ、陥没部が０．５ｍｍ）のテープ用切断刃を使用した。
「ＣＴ裁断強度」とは、図６（ａ）に示すように、テープを切断するのに要する力（Ｘ）であり、テープ先端部２ａに荷重を加えて続け、テープが切れ始めた時の荷重値を測定したものである。
「刃上での滑り性」とは、テープ２を刃先に係止させながら捻った際に、係止状態が外れる状態をいう。
「斜め切れの発生頻度」とは、切断の直線性が維持されず、切断終端部において斜め方向にちぎれてしまう状態をいう（図７参照）。
【手続補正１８】
【補正対象書類名】明細書
【補正対象項目名】００４７
【補正方法】変更
【補正の内容】
【００４７】
本実施形態に係るテープ用切断刃１’は、テープ２が繰り出される方向に沿って板面が延びる鋼板３’の端縁部に刃先を設けたものである。
この刃先は、第１実施形態のものと同一であるので、同一の符号を付すことで、その説明を省略する。
このテープ用切断刃１’は、図１４のように、鋼板３’の上面に複数の凹部８を並べて形成し、それらの凹部８に沿って下面側から上面方向Ａに向けてこの鋼板３’を切断して構成されたものである。
【手続補正１９】
【補正対象書類名】明細書
【補正対象項目名】００４８
【補正方法】変更
【補正の内容】
【００４８】
即ち、このテープ用切断刃１’の製造方法は、治具で型押しすることによって、鋼板３’の上面に複数の凹部８を並べて形成するプレス工程と、鋼板３’の上面に設けられた複数の凹部８に沿って、下面側から上面方向Ａに鋼板３’を切断する切断工程と、からなるもので、凹部８に沿って切断されることで、切断面の上縁に、複数の単位刃１０が形成される。なお、プレス工程と切断工程によって形成される複数の単位刃１０は、第１実施形態と同一であるので、同一符号を付すことで、その説明を省略する。
【手続補正２０】
【補正対象書類名】明細書
【補正対象項目名】００５２
【補正方法】変更
【補正の内容】
【００５２】
【図１】本発明の第１実施形態に係るテープ用切断刃を示す斜視図である。
【図２】上記切断刃が取り付けられたテープディスペンサーを示す斜視図である。
【図３】上記切断刃の製造方法を示す斜視図であり、（ａ）はプレス工程と切断工程を示し、（ｂ）は折り曲げ工程を示す。
【図４】上記製造方法によって製造された切断刃を、バリの状態を誇張して示した斜視図である。
【図５】上記テープ用切断刃の使用状態を示す斜視図である。
【図６】実験の状態を示す説明図であり、（ａ）は、テープを切断する際の状態を示し、（ｂ）はテープをテープ用切断刃から引き剥がす際の状態を示す。
【図７】テープの切断状態を示し、（ａ）は成功例であり、（ｂ）は斜め切れの例を示す写真である。
【図８】各サンプルにおいて、最も多く見られた切断状態を示す写真である。
【図９】本実施形態に係る仮留め部の変形例を示す斜視図である。
【図１０】本実施形態に係る陥没部の変形例を示す斜視図である。
【図１１】上記陥没部の形状の変形態様を示す平面図である。
【図１２】本発明の第２実施形態に係るテープ用切断刃を示す斜視図である。
【図１３】上記切断刃が取り付けられたテープディスペンサーを示す部分斜視図である。
【図１４】上記切断刃の製造方法を示す斜視図である。
【図１５】上記テープ用切断刃の使用状態を示す斜視図である。
【図１６】従来の鋸刃状のテープ用切断刃を示す斜視図である。
【図１７】従来の直線切りのテープ用切断刃を示す斜視図である。
【手続補正２１】
【補正対象書類名】明細書
【補正対象項目名】００５３
【補正方法】変更
【補正の内容】
【００５３】
１、１’…切断刃
２、２’…テープ
３、３’…鋼板（板状部材、平面部材）
４…バリ造成刃
５…切断刃部端面
６…リール
７…カッター部
８…凹部
１０…単位刃
１１…角部（上端角部）
１３…エッジ部
１４…バリ
１５…角部
１６…仮留め部（突出部）
１７…陥没部